(57)【特許請求の範囲】
【請求項１】
測定対象物の質量を測定するための電子天秤であって、
複数の画素を有し、測定対象物の質量の測定結果、又は、測定対象物の質量を測定する際の条件設定の情報を表示する表示部と、
前記複数の画素を選択的に点灯又は消灯させることにより、前記表示部に対する表示を制御する表示制御部と、
前記表示部における各画素の累積点灯時間を計測する計時部とを備え、
前記表示制御部は、測定対象物の質量を測定していないときに前記表示部に表示される待機画面を前記表示部に表示させる状態、又は、前記待機画面において点灯しない画素を前記待機画面において点灯する画素以上の頻度で点灯させる焼付防止画面を前記表示部に表示させる状態に、前記表示部に対する表示を切り替え、
前記表示制御部は、前記計時部による計測結果に基づいて、前記複数の画素を選択的に点灯又は消灯させ、
前記表示制御部は、前記計時部により計測される各画素の累積点灯時間が閾値以上となった場合には、前記焼付防止画面の代わりに、前記複数の画素を消灯させることにより前記表示部に対する表示を保護画面に切り替えることを特徴とする電子天秤。
【請求項２】
前記表示制御部は、前記計時部により計測される各画素の累積点灯時間に基づいて、前記待機画面において点灯しない画素の累積点灯時間を前記待機画面において点灯する画素の累積点灯時間に近付けるように各画素を点灯又は消灯させることにより、前記焼付防止画面を前記表示部に表示させることを特徴とする請求項１に記載の電子天秤。
【請求項３】
測定対象物の質量を測定するための電子天秤であって、
複数の画素を有し、測定対象物の質量の測定結果、又は、測定対象物の質量を測定する際の条件設定の情報を表示する表示部と、
前記複数の画素を選択的に点灯又は消灯させることにより、前記表示部に対する表示を制御する表示制御部と、
前記表示部における各画素の累積点灯時間を計測する計時部とを備え、
前記表示制御部は、測定対象物の質量を測定していないときに前記表示部に表示される待機画面を前記表示部に表示させる状態、又は、前記待機画面において点灯しない画素を前記待機画面において点灯する画素以上の頻度で点灯させる焼付防止画面を前記表示部に表示させる状態に、前記表示部に対する表示を切り替え、
前記表示制御部は、前記複数の画素を同一の頻度で点灯させることにより、前記焼付防止画面を前記表示部に表示させ、
前記表示制御部は、前記計時部により計測される各画素の累積点灯時間が閾値以上となった場合には、前記焼付防止画面の代わりに、前記複数の画素を消灯させることにより前記表示部に対する表示を保護画面に切り替えることを特徴とする電子天秤。
【発明の詳細な説明】
【技術分野】
【０００１】
本発明は、測定対象物の質量を測定するための電子天秤に関するものである。
【背景技術】
【０００２】
電子天秤には、測定対象物が載置される秤量皿と、秤量皿に載置されている測定対象物の荷重を検出する荷重検出部とが備えられている。荷重検出部により検出される荷重に基づいて測定対象物の質量が測定され、その測定結果が表示部に表示される。
【０００３】
上記表示部は、例えば液晶表示器により構成されている（例えば、下記特許文献１参照）。また、有機ＥＬ（electroluminescence）表示器などの他の表示器により上記表示部が構成される場合もある。このような表示部の表示画面には、測定対象物の質量の測定結果以外にも、例えば測定対象物の質量を測定する際の条件設定の情報などの各種情報が表示される。
【先行技術文献】
【特許文献】
【０００４】
【特許文献１】特許第４７７０９２５号公報
【発明の概要】
【発明が解決しようとする課題】
【０００５】
液晶表示器や有機ＥＬ表示器などにより構成される表示部においては、表示画面に同一の画像を長時間表示させた場合に、いわゆる焼き付きが生じる場合がある。すなわち、表示画面に同一の画像を長時間表示させた後、表示画面を別の画像に切り替えた場合には、画像切替後も前の画像が残像として残ってしまう場合がある。
【０００６】
特に電子天秤においては、秤量皿に測定対象物が載置されていない状態のまま長時間放置される場合が多い。そのため、荷重値が「０」であることを表す待機画面が長時間にわたって表示画面に表示され、その結果、表示画面を別の画像に切り替えた後も待機画面の残像が残りやすいという特性がある。
【０００７】
上記のような焼き付きは、表示部を構成する複数の画素の使用頻度の差が原因となって生じる。具体的には、例えば有機ＥＬ表示器の場合、使用頻度が高い画素（累積点灯時間が長い画素）は輝度が低下し、使用頻度が低い画素（累積点灯時間が短い画素）は輝度が高い状態で保たれる。そのため、複数の画素を同時に点灯させたときに、輝度が高い画素と輝度が低い画素とが生じ、その輝度の差が焼き付きとして認識されることとなる。
【０００８】
表示部の焼き付きを抑制する方法としては、例えばスクリーンセーバの機能が広く知られている。このスクリーンセーバの機能を用いた場合には、例えば表示画面の変化が一定時間以上ない場合に、点灯する画素が比較的少ない特定のパターンを表示画面に表示させたり、全ての画素を消灯させることにより、各画素の累積点灯時間が長くなるのを防止し、各画素の焼き付きを遅らせることができる。
【０００９】
しかしながら、上記のようなスクリーンセーバの機能では、各画素の焼き付きを単に遅らせることができるだけであるため、使用頻度が高い画素と使用頻度が低い画素とがある場合には、長時間使用すれば各画素の輝度の差が次第に大きくなる。したがって、スクリーンセーバの機能を用いたとしても、長時間使用すれば、いずれ焼き付きが生じることに変わりはなく、焼き付きによる残像が表示画面に生じてしまう。
【００１０】
本発明は、上記実情に鑑みてなされたものであり、焼き付きによる残像が表示画面に生じにくい電子天秤を提供することを目的とする。
【課題を解決するための手段】
【００１１】
本発明に係る電子天秤は、測定対象物の質量を測定するための電子天秤であって、表示部と、表示制御部とを備える。前記表示部は、複数の画素を有し、測定対象物の質量の測定結果、又は、測定対象物の質量を測定する際の条件設定の情報を表示する。前記表示制御部は、前記複数の画素を選択的に点灯又は消灯させることにより、前記表示部に対する表示を制御する。前記表示制御部は、測定対象物の質量を測定していないときに前記表示部に表示される待機画面、又は、前記待機画面において点灯しない画素を前記待機画面において点灯する画素以上の頻度で点灯させる焼付防止画面に、前記表示部に対する表示を切り替える。
【００１２】
このような構成によれば、表示部に対する表示を待機画面から焼付防止画面に切り替えることにより、待機画面において点灯しない画素を積極的に点灯させることができる。これにより、待機画面において点灯しない画素と待機画面において点灯する画素との累積点灯時間の差が大きくなるのを防止することができ、これらの画素間の輝度の差が使用とともに大きくなるのを防止することができるため、焼き付きによる残像が表示画面に生じにくい。
【００１３】
この場合、前記電子天秤は、前記表示部における各画素の累積点灯時間を計測する計時部をさらに備えていてもよい。前記表示制御部は、前記計時部による計測結果に基づいて、前記複数の画素を選択的に点灯又は消灯させてもよい。
【００１４】
このような構成によれば、各画素の累積点灯時間を計測し、その計測結果に基づいて、累積点灯時間が短い画素を積極的に点灯させることができる。これにより、焼付防止画面の表示中は、待機画面において点灯しない画素と待機画面において点灯する画素との累積点灯時間の差が大きくなるのを確実に防止することができる。
【００１５】
前記表示制御部は、前記計時部により計測される各画素の累積点灯時間に基づいて、前記待機画面において点灯しない画素の累積点灯時間を前記待機画面において点灯する画素の累積点灯時間に近付けるように各画素を点灯又は消灯させることにより、前記焼付防止画面を前記表示部に表示させてもよい。
【００１６】
このような構成によれば、待機画面において点灯しない画素と待機画面において点灯する画素との累積点灯時間の差を確実に小さくすることができるため、焼き付きによる残像が表示画面に生じるのを効果的に防止することができる。
【００１７】
前記表示制御部は、前記計時部により計測される各画素の累積点灯時間が閾値以上となった場合には、前記焼付防止画面の代わりに、前記複数の画素を消灯させることにより前記表示部に対する表示を保護画面に切り替えてもよい。
【００１８】
このような構成によれば、各画素の累積点灯時間が閾値以上となった場合には、表示部に焼付防止画面を表示させて累積点灯時間が短い画素を積極的に点灯させるのではなく、保護画面に切り替えて各画素の累積点灯時間が長くなるのを防止することができる。各画素の累積点灯時間がある程度長くなれば、各画素間の輝度の差が小さくなるため、その後は各画素の累積点灯時間が長くなるのを防止することにより、表示部の寿命を延ばすことができる。
【００１９】
前記表示制御部は、前記複数の画素を同一の頻度で点灯させることにより、前記焼付防止画面を前記表示部に表示させてもよい。
【００２０】
このような構成によれば、焼付防止画面の表示中は、待機画面において点灯しない画素と待機画面において点灯する画素とが、いずれも同一の頻度で点灯されるため、それらの画素の累積点灯時間の差が大きくなることがない。そして、各画素の累積点灯時間が長くなるにつれて、各画素間の輝度の差が徐々に小さくなるため、焼き付きによる残像が表示画面に生じるのを効果的に防止することができる。
【００２１】
この場合、前記電子天秤は、前記表示部における各画素の累積点灯時間を計測する計時部をさらに備えていてもよい。前記表示制御部は、前記計時部により計測される各画素の累積点灯時間が閾値以上となった場合には、前記焼付防止画面の代わりに、前記複数の画素を消灯させることにより前記表示部に対する表示を保護画面に切り替えてもよい。
【００２２】
このような構成によれば、各画素の累積点灯時間が閾値以上となった場合には、表示部に焼付防止画面を表示させて各画素を同一の頻度で点灯させるのではなく、保護画面に切り替えて各画素の累積点灯時間が長くなるのを防止することができる。各画素の累積点灯時間がある程度長くなれば、各画素間の輝度の差が小さくなるため、その後は各画素の累積点灯時間が長くなるのを防止することにより、表示部の寿命を延ばすことができる。
【図面の簡単な説明】
【００２３】
【図１】本発明の一実施形態に係る電子天秤の構成例を示したブロック図である。
【図２】表示部の表示画面の一例を示した図である。
【図３】表示部の各画素の累積点灯時間と輝度との関係を示した図であり、表示部が有機ＥＬディスプレイの場合を示している。
【図４】表示部に待機画面が表示されているときの制御部による処理の一例を示したフローチャートである。
【図５】表示部に焼付防止画面が表示されているときの制御部による処理の一例を示したフローチャートである。
【図６】表示部に焼付防止画面が表示されているときの制御部による処理の変形例を示したフローチャートである。
【図７Ａ】図６の変形例において表示部に表示される焼付防止画面の一例を示した図である。
【図７Ｂ】図６の変形例において表示部に表示される焼付防止画面の一例を示した図である。
【発明を実施するための形態】
【００２４】
図１は、本発明の一実施形態に係る電子天秤の構成例を示したブロック図である。この電子天秤は、試料（測定対象物）の質量を測定するための装置であり、制御部１、荷重検出部２、記憶部３、操作部４及び表示部５などを備えている。制御部１は、例えばＣＰＵ（Central Processing Unit）を含む構成であり、当該ＣＰＵがプログラムを実行することにより、測定処理部１１、条件設定部１２、表示制御部１３及び計時部１４などとして機能する。
【００２５】
荷重検出部２は、秤量皿（図示せず）に載置される測定対象物の荷重を検出する。当該荷重検出部２は、例えば電磁式又はロードセル式であり、秤量皿に測定対象物を載置したときの電気信号の変化を検出することができる。
【００２６】
記憶部３は、例えばＲＡＭ（Random Access Memory）により構成されている。操作部４は、例えば複数の操作キーを含む構成であり、作業者は各操作キーを操作することにより電子天秤に対する設定操作や動作指示を行うことができる。表示部５は、例えば有機ＥＬ（electroluminescence）ディスプレイにより構成されており、マトリクス状に配列された複数の画素５１を選択的に点灯又は消灯させることにより、画像を表示させることができる。
【００２７】
測定処理部１１は、荷重検出部２により検出される荷重に基づいて測定対象物の質量を測定する。具体的には、荷重検出部２により検出される電気信号の変化量が質量に換算されることにより、測定対象物の質量が算出される。測定処理部１１により測定された測定対象物の質量の値は、測定結果として記憶部３に記憶される。上記測定結果には、測定された測定対象物の質量の値だけでなく、例えば測定を行ったときの日時や作業者情報などの他の情報が含まれていてもよい。
【００２８】
条件設定部１２は、作業者による操作部４を用いた指示操作に基づいて、測定対象物の質量を測定する際の条件設定を行う。すなわち、作業者は操作部４を操作することにより条件を入力することができ、条件設定部１２は入力された条件を測定時の条件として設定する処理（条件設定）を行う。条件設定部１２により行われた条件設定の設定情報、すなわち設定された測定時の条件の情報は、当該条件で行われた測定結果に対応付けて記憶部３に記憶される。
【００２９】
表示制御部１３は、表示部５の複数の画素５１を選択的に点灯又は消灯させることにより、表示部５に対する表示を制御する。すなわち、表示制御部１３は、プログラムに従って複数の画素５１の一部のみを点灯させることにより、文字、図形又は記号などの各種情報を表示部５に表示させることができる。具体的には、記憶部３に記憶されている測定対象物の質量の測定結果、又は、測定対象物の質量を測定する際の条件設定の情報（設定情報）などが、表示制御部１３の制御によって表示部５に表示されるようになっている。
【００３０】
計時部１４は、表示部５における各画素５１の累積点灯時間を計測する。すなわち、表示制御部１３により各画素５１が点灯されたときに、各画素５１の点灯時間を積算して計測することにより、画素５１ごとに累積点灯時間が個別に計測される。本実施形態では、計時部１４により計測された各画素５１の累積点灯時間を用いて、表示制御部１３が表示部５に対する表示を制御することができるようになっている。
【００３１】
図２は、表示部５の表示画面の一例を示した図である。この表示画面は、測定対象物の質量を測定していないときに表示部５に表示される待機画面５２である。待機画面５２には、測定対象物の質量の測定結果を表示させる質量表示領域５２１が含まれており、測定対象物が秤量皿に載置されていないことを表す表示（例えば「０．００００」）が質量表示領域５２１に表示された状態で維持される。
【００３２】
待機画面５２には、上記質量表示領域５２１の他に、条件設定部１２により行われた条件設定の設定情報や、時刻又は作業者情報などの各種情報が表示される。この例における待機画面５２には、質量表示領域５２１以外に、例えば時刻表示領域５２２、作業者名表示領域５２３、測定モード表示領域５２４、ＮＥＴ／ＧＲＯＳＳ表示領域５２５、応答性設定表示領域５２７及び印刷設定表示領域５２８などが含まれる。ただし、待機画面５２には、これらの情報に限らず、他の任意の情報を表示させることができる。
【００３３】
時刻表示領域５２２には、例えば数値表示により現在の時刻が表示される。測定対象物の質量が測定された場合には、そのとき時刻表示領域５２２に表示されている時刻が、測定時刻として測定結果とともに記憶部３に記憶される。時刻表示領域５２２は、その表示内容が時間の経過とともに変化するが、点灯する画素５１と点灯しない画素５１とが混在している。
【００３４】
作業者名表示領域５２３には、例えば文字表示により作業者名が表示される。すなわち、予め操作部４を操作することによりログインした作業者名が、識別情報として作業者名表示領域５２３に表示される。作業者名表示領域５２３において点灯する画素５１は、電子天秤を使用するユーザが１人の場合には常に一定となるが、複数人のユーザが電子天秤を使用する場合には変化する。いずれの場合においても、作業者名表示領域５２３には、点灯する画素５１と点灯しない画素５１とが混在している。
【００３５】
測定モード表示領域５２４には、例えば文字表示又は図形表示により、複数種類の測定モードの中から設定されている測定モードの種類が表示される。測定モードは、例えば測定対象物の種類や状態に応じて選択され、この例では、一般測定のモードが選択された状態が示されている。測定モード表示領域５２４には、測定モードの設定に応じて異なる内容が表示されるが、点灯する画素５１と点灯しない画素５１とが混在している。
【００３６】
ＮＥＴ／ＧＲＯＳＳ表示領域５２５には、例えば文字表示又は図形表示により、容器などの風袋の質量を除いた測定値（正味量）を質量表示領域５２１に表示させるモード（ＮＥＴ）、又は、風袋を含めた測定値（総質量）を質量表示領域５２１に表示させるモード（ＧＲＯＳＳ）のうち、設定されているモードの種類が表示される。この例では、ＮＥＴのモードが選択された状態が示されている。ＮＥＴ／ＧＲＯＳＳ表示領域５２５には、ＮＥＴ又はＧＲＯＳＳの設定に応じて異なる内容が表示されるが、点灯する画素５１と点灯しない画素５１とが混在している。
【００３７】
応答性設定表示領域５２７には、例えば図形表示又は記号表示により、測定時の応答性の設定情報が表示される。応答性の設定に関しては、応答性を高く設定するとノイズに弱くなる反面、応答性を低く設定するとノイズに強くなるという特性がある。応答性設定表示領域５２７には、設定されている応答性に応じて異なる内容が表示されるが、点灯する画素５１と点灯しない画素５１とが混在している。
【００３８】
印刷設定表示領域５２８には、例えば図形表示により、測定結果の印刷を自動又は手動のいずれで行うかが表示される。印刷設定表示領域５２８には、測定結果を自動又は手動のいずれで行うかの設定に応じて異なる内容が表示されるが、点灯する画素５１と点灯しない画素５１とが混在している。
【００３９】
以上のように、待機画面５２には、いずれの表示領域においても点灯する画素５１と点灯しない画素５１とが混在している。したがって、秤量皿に測定対象物が載置されていない状態のまま長時間放置された場合には、各表示領域における特定の画素５１のみが長時間点灯し、他の画素５１は長時間消灯した状態となる。そして、長時間点灯する画素５１、すなわち使用頻度が高い画素５１は、累積点灯時間が増加していくため、その輝度が徐々に低下することとなる。
【００４０】
図３は、表示部５の各画素５１の累積点灯時間と輝度との関係を示した図であり、表示部５が有機ＥＬディスプレイの場合を示している。この図３に示すように、表示部５の各画素５１の輝度は、累積点灯時間の増加とともに徐々に低下するが、その低下率は徐々に小さくなる。
【００４１】
すなわち、累積点灯時間が５０００時間程度になるまでは、各画素５１の輝度が急激に低下するが、それ以降は各画素５１の輝度の低下が緩やかになる。そして、累積点灯時間が閾値Ｖ以上となった画素５１については、輝度が約８０％のままほとんど低下しなくなる。上記閾値Ｖは、例えば１００００〜２００００時間程度であり、より具体的には１５０００時間程度である。
【００４２】
したがって、待機画面５２において点灯する画素５１は、待機画面５２において点灯しない画素５１よりも早く累積点灯時間が閾値Ｖに到達することにより焼き付きが生じやすい。そこで、本実施形態では、上記待機画面５２の他に、待機画面５２において点灯しない画素５１を待機画面５２において点灯する画素５１以上の頻度で点灯させる画面（焼付防止画面）にも、表示部５の表示を切り替えることができるようになっている。
【００４３】
このように、表示部５に対する表示を待機画面５２から焼付防止画面に切り替えることにより、待機画面５２において点灯しない画素を積極的に点灯させることができる。これにより、待機画面５２において点灯しない画素５１と待機画面５２において点灯する画素５１との累積点灯時間の差が大きくなるのを防止することができ、これらの画素５１間の輝度の差が使用とともに大きくなるのを防止することができるため、焼き付きによる残像が表示画面に生じにくい。
【００４４】
図４は、表示部５に待機画面５２が表示されているときの制御部１による処理の一例を示したフローチャートである。表示部５に待機画面５２が表示されているときには、操作部４に対する操作又は荷重検出部２により検出される荷重の変化があるか否か（ステップＳ１０１）、及び、一定時間が経過したか否か（ステップＳ１０２）が監視される。そして、一定時間（例えば５〜１０分程度）が経過する前に操作部４に対する操作又は荷重検出部２により検出される荷重の変化があったときには（ステップＳ１０１でＹｅｓ）、その操作又は荷重の変化に応じた処理が行われる。
【００４５】
一方、待機画面５２が表示部５に表示されてから一定時間が経過した場合には（ステップＳ１０２でＹｅｓ）、表示部５に対する表示が待機画面５２から焼付防止画面に切り替えられる（ステップＳ１０３）。焼付防止画面の表示中は、操作部４に対する操作又は荷重検出部２により検出される荷重の変化があるか否かが監視され（ステップＳ１０４）、操作部４に対する操作又は荷重検出部２により検出される荷重の変化があれば（ステップＳ１０４でＹｅｓ）、表示部５に対する表示が焼付防止画面から待機画面５２に切り替えられる。その後は、ステップＳ１０１からの処理が再度繰り返されることとなる。
【００４６】
図５は、表示部５に焼付防止画面が表示されているときの制御部１による処理の一例を示したフローチャートである。この例では、表示部５に焼付防止画面が表示されているときに、累積点灯時間が閾値Ｖ以上の画素５１を消灯させるとともに（ステップＳ２０１）、累積点灯時間が閾値Ｖ未満の画素５１を所定のパターンで点灯させる（ステップＳ２０２）。
【００４７】
上記所定のパターンとしては、例えば各画素５１をランダムに点灯させることにより、いわゆるスノーノイズ（砂嵐）のパターンを表示部５に表示させるような構成を例示することができる。このようなパターンで各画素５１を点灯させれば、常に消灯している画素５１、すなわち累積点灯時間が閾値Ｖ以上の画素５１がいずれの画素５１であるかが分かりにくく好ましいが、このようなパターンに限られるものではない。
【００４８】
このように、計時部１４により計測される各画素５１の累積点灯時間に基づいて、複数の画素５１を選択的に点灯又は消灯させることにより、累積点灯時間が短い画素５１を積極的に点灯させることができる。これにより、焼付防止画面の表示中は、待機画面５２において点灯しない画素と待機画面５２において点灯する画素との累積点灯時間の差が大きくなるのを確実に防止することができる。
【００４９】
本実施形態では、上記のようなパターンで各画素５１を点灯又は消灯させることにより、待機画面５２において点灯しない画素５１の累積点灯時間が、待機画面５２において点灯する画素５１の累積点灯時間に近付くこととなる。これにより、待機画面５２において点灯しない画素５１と待機画面５２において点灯する画素５１との累積点灯時間の差を確実に小さくすることができるため、焼き付きによる残像が表示画面に生じるのを効果的に防止することができる。
【００５０】
表示部５に焼付防止画面が表示されているときには、全ての画素５１の累積点灯時間が閾値Ｖに到達したか否かが監視される（ステップＳ２０３）。すなわち、累積点灯時間が閾値Ｖに到達していない画素５１がある間は（ステップＳ２０３でＹｅｓ）、ステップＳ２０１〜Ｓ２０２の処理が繰り返されることにより焼付防止画面が表示部５に表示され、まだ累積点灯時間が閾値Ｖに到達していない画素５１が積極的に点灯される。
【００５１】
そして、表示部５の全ての画素５１の累積点灯時間が閾値Ｖ以上となった場合には（ステップＳ２０３でＮｏ）、焼付防止画面の代わりに、全ての画素５１が消灯されることにより、表示部５に対する表示が保護画面に切り替えられる（ステップＳ２０４）。
【００５２】
このように、各画素５１の累積点灯時間が閾値Ｖ以上となった場合には、表示部５に焼付防止画面を表示させて累積点灯時間が短い画素５１を積極的に点灯させるのではなく、保護画面に切り替えて各画素５１の累積点灯時間が長くなるのを防止することができる。図３に示すように、各画素５１の累積点灯時間がある程度長くなれば、各画素５１間の輝度の差が小さくなる。したがって、各画素５１の累積点灯時間が閾値Ｖ以上となった後は、各画素５１の累積点灯時間が長くなるのを防止することにより、表示部５の寿命を延ばすことができる。
【００５３】
図６は、表示部５に焼付防止画面が表示されているときの制御部１による処理の変形例を示したフローチャートである。この例では、表示部５に焼付防止画面が表示されているときに、各画素５１の累積点灯時間にかかわらず、全ての画素５１が同一の頻度で点灯される（ステップＳ３０１）。
【００５４】
このように、焼付防止画面の表示中は、待機画面５２において点灯しない画素５１と待機画面５２において点灯する画素５１とが、いずれも同一の頻度で点灯されるため、それらの画素５１の累積点灯時間の差が大きくなることがない。そして、図３に示すように、各画素５１の累積点灯時間が長くなるにつれて、各画素５１間の輝度の差が徐々に小さくなるため、焼き付きによる残像が表示画面に生じるのを効果的に防止することができる。
【００５５】
表示部５に焼付防止画面が表示されているときには、全ての画素５１の累積点灯時間が閾値Ｖに到達したか否かが監視される（ステップＳ３０２）。すなわち、累積点灯時間が閾値Ｖに到達していない画素５１がある間は（ステップＳ３０２でＹｅｓ）、ステップＳ３０１の処理が繰り返されることにより焼付防止画面が表示部５に表示され、全ての画素５１が同一の頻度で点灯される。
【００５６】
そして、表示部５の全ての画素５１の累積点灯時間が閾値Ｖ以上となった場合には（ステップＳ３０２でＮｏ）、焼付防止画面の代わりに、全ての画素５１が消灯されることにより、表示部５に対する表示が保護画面に切り替えられる（ステップＳ３０３）。
【００５７】
このように、各画素５１の累積点灯時間が閾値Ｖ以上となった場合には、表示部５に焼付防止画面を表示させて各画素５１を同一の頻度で点灯させるのではなく、保護画面に切り替えて各画素５１の累積点灯時間が長くなるのを防止することができる。図３に示すように、各画素５１の累積点灯時間がある程度長くなれば、各画素５１間の輝度の差が小さくなる。したがって、各画素５１の累積点灯時間が閾値Ｖ以上となった後は、各画素５１の累積点灯時間が長くなるのを防止することにより、表示部５の寿命を延ばすことができる。
【００５８】
図７Ａ及び図７Ｂは、図６の変形例において表示部５に表示される焼付防止画面５３の一例を示した図である。この例では、表示部５の各画素５１が、一定周期で点灯及び消灯を繰り返すことにより、各画素５１が同一の頻度で点灯される。このとき、各画素５１を同じタイミングで点灯させるのではなく、異なるタイミングでずらして点灯させることにより、所定のパターンで各画素５１を点灯させることができる。
【００５９】
この例では、ｎ行×ｍ列で配列された複数の画素５１のうち、ある１つ又は複数の行ａにおいて左右方向に並ぶいくつかの複数の画素５１を同時に点灯させる。また、別の１つ又は複数の行ｂにおいて、上記行ａで点灯しない画素５１を同時に点灯させる。これらの各行ａ，ｂにおいて点灯する画素５１を一定時間後に消灯させると同時に、それらの点灯していた画素５１の次の行の画素５１を点灯させるという動作を繰り返すことにより、図７Ａ及び図７Ｂに示すように、点灯する画素５１が行方向に流れるようなパターンで各画素５１を同一の頻度で点灯させることができる。
【００６０】
以上の実施形態では、待機画面５２の表示中、一定時間が経過したときに待機画面５２から焼付防止画面に切り替えられるような構成について説明した。しかし、このような構成に限らず、作業者が操作部４を操作することにより、表示部５に対する表示を待機画面５２から焼付防止画面に切り替えることができるような構成などであってもよい。
【００６１】
表示部５は、測定対象物の質量の測定結果、及び、測定対象物の質量を測定する際の条件設定の情報をいずれも表示させるような構成に限らず、いずれか一方のみを表示させるような構成であってもよい。また、表示部５は、複数の画素を有するようなものであれば、有機ＥＬディスプレイに限らず、例えば液晶ディスプレイなどの他のディスプレイにより構成されていてもよい。
【符号の説明】
【００６２】
１    制御部
２    荷重検出部
３    記憶部
４    操作部
５    表示部
１１    測定処理部
１２    条件設定部
１３    表示制御部
１４    計時部
５１    画素
５２    待機画面
５３    焼付防止画面
５２１    質量表示領域
５２２    時刻表示領域
５２３    作業者名表示領域
５２４    測定モード表示領域
５２５    ＮＥＴ／ＧＲＯＳＳ表示領域
５２７    応答性設定表示領域
５２８    印刷設定表示領域
【図１】
0006418009.tif 000002
【図２】
0006418009.tif 000003
【図３】
0006418009.tif 000004
【図４】
0006418009.tif 000005
【図５】
0006418009.tif 000006
【図６】
0006418009.tif 000007
【図７Ａ】
0006418009.tif 000008
【図７Ｂ】
0006418009.tif 000009